(57)【要約】【課題】複数本のケーブルの接続作業が簡単で、しかもケーブルの補強度を向上させるようにしたケーブル接続用コネクタを提供することを目的とする。【解決手段】ケーブル支承部材２０を介して複数本のケーブル１５、１６を所定のピッチで列状に位置決め支承し、このケーブル支承部材２０を絶縁ハウジング１１の位置決め凹部内１４に支承させてケーブルの各導体と対応するコンタクト１２、１３とを接続した後、このケーブル支承部材２０を位置決め凹部１４とアクチュエータ３０、３１との間に把持させるようにした。【選択図】　図２
2004055212.tif 000002
【特許請求の範囲】
【請求項１】
絶縁ハウジング内に列状に配設された複数本の各コンタクトに、対応する複数本の各ケーブルの導体を電気的に接続し、その接続面をアクチュエータで覆うようにしたケーブル接続用コネクタにおいて、
前記複数本のケーブルを所定のピッチで列状に位置決め支承するケーブル支承部材と、
前記絶縁ハウジングに形成され、前記ケーブル支承部材を位置決め支持するする位置決め凹部とを有し、
前記ケーブル支承部材を前記位置決め凹部内に支承させた後、前記アクチュエータにより、前記ケーブル支承部材を前記位置決め凹部と前記アクチュエータとの間に把持するようにしたことを特徴とするケーブル接続用コネクタ。
【請求項２】
前記位置決め凹部には前記ケーブルをガイドして支承する凹部が所定のピッチで形成されていることを特徴とする請求項１に記載のケーブル接続用コネクタ。
【請求項３】
前記ケーブル支承部材はプラスチック、あるいはテープ等により形成されているとを特徴とする請求項１に記載のケーブル接続用コネクタ。
【発明の詳細な説明】
【０００１】
【発明の属する技術分野】
この発明は電気コネクタに関し、特に機器間等に配設された多数本のケーブルを互いに接続するケーブル接続用コネクタの改良に関する。
【０００２】
【従来の技術】
コンピュータ等の電子機器間を電気的に接続する多数本のケーブルをその途中で互いに連結するようにしたケーブル接続用コネクタでは、その多数本のケーブルをケーブル接続用コネクタに接続する際に、従来では当該ケーブル接続用コネクタの絶縁ハウジング内に配設された多数本の各コンタクトに、対応する各ケーブルの導体を個々に半田付け等の接続手段を介して接続するようにしていた。
【０００３】
これを図３に示す従来のケーブル接続用コネクタ１の要部断面図で説明すると、絶縁ハウジング２の上下面にそれぞれ図面の垂直方向へ向け所定のピッチで列状に配設されたコンタクト３、４の接続端子３ａ、４ａに対して、対応するケーブル５、６の各導体５ａ、６ａを半田付け等の接続手段を介して個々に電気的に接続し、その後、ハウジング２の上下面に配設されたアクチュエータ７、８を軸７ａ、８ａを中心に一方向へ回転させて、各ケーブル７、８を各コンタクト３、４とアクチュエータ７、８間に把持する。
【０００４】
その後、さらに、ケーブル接続用コネクタ１に対する各ケーブル７、８の保持強度を向上させるため、ケーブル接続用コネクタ１の表面と各ケーブル７、８間に渡ってテープ等の貼着部材９を貼着し、各ケーブル７、８の保持強度を向上させるようにしていた。
【０００５】
【発明が解決しようとする課題】
ところで、上述した従来のケーブル接続用コネクタ１によると、複数本のケーブル７、８をそれぞれ対応する各コンタクト３、４の接続部３ａ、４ａに個々に配置し、さらに複数本のケーブル７、８を対応する各コンタクト３、４に接続した後、各ケーブル７、８の保持強度を向上させるため、ケーブル接続用コネクタ１の表面と各ケーブル７、８間に渡ってテープ等の貼着部材９を貼着しなければならないから、各ケーブルをコンタクトに接続するための工定数が多く、またケーブル接続用コネクタ１に対する各ケーブル７、８の保持強度が十分ではない問題点があった。
【０００６】
この発明は、上述した事情に鑑み、複数本のケーブルの接続作業が簡単で、しかもケーブルの補強度を向上させるようにしたケーブル接続用コネクタを提供することを目的とする。
【０００７】
【課題を解決するための手段】
上述した課題を解決するため、この発明では、絶縁ハウジング内に列状に配設された複数本の各コンタクトに、対応する複数本の各ケーブルの導体を電気的に接続し、その接続面をアクチュエータで覆うようにしたケーブル接続用コネクタにおいて、前記複数本のケーブルを所定のピッチで列状に位置決め支承するケーブル支承部材と、前記絶縁ハウジングに形成され、前記ケーブル支承部材を位置決め支持するする位置決め凹部とを有し、前記ケーブル支承部材を前記位置決め凹部内に支承させた後、前記アクチュエータにより、前記ケーブル支承部材を前記位置決め凹部と前記アクチュエータとの間に把持するようにした。
【０００８】
【発明の実施の形態】
以下、この発明に係わるケーブル接続用コネクタの一実施例を詳述する。
【０００９】
図１はこの発明に係わるケーブル接続用コネクタ１０の一部破断概念斜視図である。
【００１０】
このケーブル接続用コネクタ１０の絶縁ハウジング１１には、その上下面の長手方向に沿ってそれぞれ複数本のコンタクト１２、１３が所定のピッチで列状に配設されている。
【００１１】
そして、その各コンタクト１２、１３の先端部分１２ａ、１３ａは絶縁ハウジング１１の上下面に露出し、これにより全体としては図示せぬ雌コネクタに嵌着してケーブル間を電気的に接続する雄コネクタとしての機能を有している。
【００１２】
そして、この絶縁ハウジング１１では、その後方が延設され、そこに後述するケーブル支承部材を位置決め支承する位置決め凹部１４が形成されている。
【００１３】
なお、この位置決め凹部１４の後方にはケーブルをガイドして支承する凹部１４ａが所定のピッチで形成されている。なお、図１で符号１１ａは各コンタクト１２、１３間を隔離する隔壁である。
【００１４】
一方、このケーブル接続用コネクタ１０に接続される径の異なる複数本のケーブル１５、１６は、当該複数本のケーブル１５、１６を所定のピッチで列状に位置決め支承するケーブル支承部材２０を介して一括保持されている。
【００１５】
なお、このケーブル支承部材２０はプラスチック、あるいはテープ等により形成されている。
【００１６】
次に上述したケーブル接続用コネクタ１０の作用を説明する。
【００１７】
ケーブル支承部材２０を介して一括保持された複数本のケーブル１５、１６をケーブル接続用コネクタ１０に接続するには、図１の矢印Ａ、Ａ´のように、対応するケーブル群２１のケーブル支承部材２０を絶縁ハウジング１１の上下面に形成された位置決め凹部１４内にそれぞれ位置決め支承させ、その後、各ケーブル１５、１６の導体１５ａ、１６ｂと対応するコンタクト１２、１３の接続端子１２ｂ、１３ｂとを半田付け等の接続手段により接続する。
【００１８】
その後、図１の要部断面図で示す図２のように、ハウジング１１の上下面に配設されたアクチュエータ３０、３１を軸３０ａ、３１ａを中心に矢印のように一方向へ回転させて、各ケーブル１５、１６の一括保持を行うケーブル支承部材２０を位置決め凹部１４とアクチュエータ３０、３１間に把持する。
【００１９】
すると、コンタクト１２、１３の各接続端子１２ｂ、１３ｂとケーブル１５、１６の各導体１５ａ、１６ｂとの半田付け等による接続作業が簡単となるばかりでなく、ケーブル支承部材２０を位置決め凹部１４とアクチュエータ３０、３１と間に把持固定することで、ケーブル接続用コネクタ１０に対するケーブルの補強度を向上させることができることとなる。
【００２０】
【発明の効果】
以上説明したように、この発明のケーブル接続用コネクタでは、ケーブル支承部材を介して複数本のケーブルを所定のピッチで列状に位置決め支承し、このケーブル支承部材を絶縁ハウジングの位置決め凹部内に支承させてケーブルの各導体と対応するコンタクトとを接続した後、このケーブル支承部材を位置決め凹部とアクチュエータとの間に把持させるようにしたから、複数本のケーブルの接続作業が容易になるとともに、ケーブル支承部材を介して複数本のケーブルを絶縁ハウジング内に支承させるようにしたからケーブルの保持強度も著しく上昇し、このため不意に引張力等が作用して発生する断線等の障害のない安定した機能を有するケーブル接続用コネクタを提供することができる。
【図面の簡単な説明】
【図１】図１はこの発明に係わる、ケーブル接続用コネクタの要部破断概念斜視図。
【図２】図２はこの発明に係わるケーブル接続用コネクタの要部断面図。
【図３】図３は従来のケーブル接続用コネクタの要部断面図。
【符号の説明】
１０…ケーブル接続用コネクタ
１１…絶縁ハウジング
１２、１３…コンタクト
１５、１６…ケーブル
１５ａ、１６ａ…導体
１４…位置決め凹部
１４ａ…凹部
２０…ケーブル支承部材
３０、３１…アクチュエータ
【図１】
2004055212.tif 000003
【図２】
2004055212.tif 000004
【図３】
2004055212.tif 000005
【手続補正書】
【提出日】平成14年7月24日(2002.7.24)
【手続補正１】
【補正対象書類名】図面
【補正対象項目名】全図
【補正方法】変更
【補正の内容】
【図１】
2004055212.tif 000006
【図２】
2004055212.tif 000007
【図３】
2004055212.tif 000008